(57)【要約】【課題】  記憶媒体を効率的に利用することができる電子機器、及び録画方法を提供することである。【解決手段】  本実施形態に係る電子機器は、番組を構成する第１の映像信号と受信する第１の受信部と、第１の映像信号を高画質化するために用いられる第２の映像信号を受信する第２の受信部と、第１の映像信号と第１の映像信号に対応する第２の映像信号とを同時に記録するか、第１の映像信号のみを記録するかを制御する制御部とを備える。【選択図】図１
2016127324.tif 000002
【特許請求の範囲】
【請求項１】
番組を構成する第１の映像信号と受信する第１の受信部と、
前記第１の映像信号を高画質化するために用いられる第２の映像信号を受信する第２の受信部と、
前記第１の映像信号と当該第１の映像信号に対応する前記第２の映像信号とを同時に記録するか、前記第１の映像信号のみを記録するかを制御する制御部と、を備える電子機器。
【請求項２】
前記第１の映像信号及び前記第２の映像信号を記憶する記憶部をさらに備え、
前記制御部は、前記第１の映像信号及び前記第２の映像信号を前記記憶部に記憶する際に、前記第１の映像信号及び前記第２の映像信号の前記記憶部における記憶場所を含むメタデータを前記記憶部に作成する請求項１の電子機器。
【請求項３】
前記制御部は、前記第１の映像信号及び前記第２の映像信号を同時に前記記憶部に記憶する場合に、前記第１の映像信号と前記第２の映像信号と関連性を示す参照情報を前記メタデータに追加する請求項２の電子機器。
【請求項４】
前記制御部は、前記第２の映像信号のみを削除できる請求項３の電子機器。
【請求項５】
前記制御部は、前記第２の映像信号のみを削除する際に、前記参照情報を削除する請求項４の電子機器。
【請求項６】
前記制御部は、前記第１の映像信号を削除する際に、当該第１の映像信号に対応する前記第２の映像信号と前記参照情報とを削除する請求項５の電子機器。
【請求項７】
番組を構成する第１の映像信号と前記第１の映像信号を高画質化するために用いられる第２の映像信号とを受信し、
前記第１の映像信号と当該第１の映像信号に対応する前記第２の映像信号とを同時に記録するか、前記第１の映像信号のみを記録するかを制御する録画方法。
【請求項８】
前記第１の映像信号及び前記第２の映像信号を記憶する際に、前記第１の映像信号及び前記第２の映像信号の記憶場所を含むメタデータを作成する請求項７の録画方法。
【請求項９】
前記第１の映像信号及び前記第２の映像信号を同時に記憶する場合に、前記第１の映像信号と前記第２の映像信号と関連性を示す参照情報を前記メタデータに追加する請求項８の録画方法。
【請求項１０】
前記第２の映像信号のみを削除する、請求項９の録画方法。
【請求項１１】
前記第２の映像信号のみを削除する際に、前記参照情報を削除する請求項１０の録画方法。
【請求項１２】
前記第１の映像信号を削除する際に、当該第１の映像信号に対応する前記第２の映像信号と前記参照情報とを削除する請求項１１の録画方法。
【発明の詳細な説明】
【技術分野】
【０００１】
本発明の実施形態は、電子機器、及び録画方法に関する。
【背景技術】
【０００２】
近年、現行のＨＤ（High Definition）（２Ｋ）放送の水平および垂直解像度の4倍もしくは8倍の解像度を持つ、いわゆる４Ｋ放送（3840×2160）や８Ｋ放送（7680×4320）の導入が国内の衛星放送などでも検討されている。
【０００３】
しかし、現行放送を維持しながら４Ｋ放送や８Ｋ放送を導入しようとすると大容量の放送帯域の新たな確保が必要となる。また、現行放送事業者が４Ｋ／８Ｋ放送サービスを提供する場合には映像解像度や符号化方式が異なるため、番組制作・サービス運用コストの負担増加が懸念される。
【０００４】
このため、たとえば、２０１４年７月にＭＰＥＧ（Moving Picture Experts group）で標準化された最新の映像符号化方式標準である、ＨＥＶＣ（High efiiciency Video Coding)規格（ISO/IEC23008-2）第２版の中で拡張規定されたＳＨＶＣ (Scalable High efiiciency Video Coding) (スケーラブルＨＥＶＣ)を適用することが検討されている。具体的には、ＨＤ信号のＭＰＥＧ−２  Ｖｉｄｅｏ映像符号化方式をベースとして、このデコード画像も参照画像として４Ｋ／８Ｋ信号のＨＥＶＣ符号化に拡張利用する、ＳＨＶＣ方式である。
【０００５】
このような新規サービスの追加、拡張、及び導入する際には、既存の受信機の中には想定外の動作を引き起こす懸念があり、現行放送仕様に準拠しながら追加拡張のサービスを導入することが困難になり得る。
【０００６】
また、４Ｋ／８Ｋ放送対応の受信機において、ＳＨＶＣコンテンツを録画する際に、ＳＨＶＣの基準映像信号と拡張映像信号の両方をそのままストレージに保存することで、録画コンテンツ（録画番組）の再生時に再び高画質な映像を表示することができる。一方で、基準映像信号及び拡張映像信号の両方を保存するために必要なストレージ容量は大きくなり、同一ストレージへのコンテンツ（番組）の録画可能時間が短くなり得る。
【先行技術文献】
【特許文献】
【０００７】
【特許文献１】特開２００６−２９５９１３号公報
【発明の概要】
【発明が解決しようとする課題】
【０００８】
本発明の実施形態が解決しようとする課題は、記憶媒体を効率的に利用することができる電子機器、及び録画方法を提供することである。
【課題を解決するための手段】
【０００９】
本実施形態に係る電子機器は、番組を構成する第１の映像信号と受信する第１の受信部と、第１の映像信号を高画質化するために用いられる第２の映像信号を受信する第２の受信部と、第１の映像信号と第１の映像信号に対応する第２の映像信号とを同時に記録するか、第１の映像信号のみを記録するかを制御する制御部とを備える。
【図面の簡単な説明】
【００１０】
【図１】図１は、第１の実施形態の送受信システムの一例を示す概要図である。
【図２】図２は、第１の実施形態の受信機の一例を示すブロック図である。
【図３】図３は、第１の実施形態の拡張情報取得部の一例を示すブロック図である。
【図４】図４は、第１の実施形態の記憶媒体の記憶データの一例を示す概要図である。
【図５】図５は、第１の実施形態の受信機の録画動作を示すフローチャートである。
【図６Ａ】図６Ａは、番組表の一例を示す図である。
【図６Ｂ】図６Ｂは、第１の実施形態の録画ダイヤログの一例を示す図である。
【図６Ｃ】図６Ｃは、第１の実施形態の録画ダイヤログの一例を示す図である。
【図７】図７（ａ）は、第１の実施形態の変形例１の新規定義されるデジタルコピー制御記述子のデータ構造を示す図であり、図７（ｂ）は、第１の実施形態の変形例１のデジタルコピー制御情報を示す図である。
【図８】図８は、第２の実施形態の受信機の一例を示すブロック図である。
【図９】図９は、第２の実施形態の受信機の録画番組の削除動作を示すフローチャートである。
【図１０Ａ】図１０Ａは、第２の実施形態の録画リストの一例を示す図である。
【図１０Ｂ】図１０Ｂは、第２の実施形態の削除ダイヤログの一例を示す図である。
【図１０Ｃ】図１０Ｃは、第２の実施形態の削除ダイヤログの一例を示す図である。
【図１１】図１１は、第２の実施形態のリモコンの一例を示す図である。
【図１２】図１２は、第２の実施形態の録画リストの一例を示す図である。
【図１３】図１３は、第２の実施形態のリモコンの一例を示す図である。
【図１４】図１４は、変形例２の送受信システムの一例を示す概要図である。
【発明を実施するための形態】
【００１１】
以下、図面を参照して実施形態の説明をする。  
（第１の実施形態）  
図１は、第１の実施形態の送受信システム１の一例を示す概要図である。  
本実施形態の送受信システム１は、送信機（送信装置）３、および受信機（受信装置、電子機器、第１の受信機）５で構成されている。送受信システム１において、送信機３、および受信機５は、それぞれ有線及び／又は無線の放送及び通信の伝送路で接続されている。送受信システム１では、送信機３は、例えば、放送波やＩＰネットワークを媒体としてコンテンツを配信することができる。ここで、コンテンツは、例えば、テレビ番組（放送番組）、衛星放送番組、配信コンテンツ、映像、画像、音楽、及びプログラム等である。説明の便宜上、コンテンツを主にテレビ番組（以下、単に番組）として説明する。なお、映像信号は、他の情報が付帯されていてもよい。例えば、映像信号は、音声信号及び各種コンテンツに関連する各種情報が付帯されてものも含む。
【００１２】
送信機３は、放送局等に備えられる送信設備等であり、受信機５は、レコーダ、コンピュータの本体、又はサーバ等である。受信機５がレコーダ等の場合には、受信機５は、表示装置（ディスプレイ、第１の表示装置）１５０に接続され、この表示装置１５０に再生した映像等を表示することができる。また、受信機５がテレビジョン放送受信機である場合には、表示装置１５０は、受信機５と一体でテレビジョン（ＴＶ）受信機として構成されていてもよい。本実施形態において、受信機５は、２Ｋ（２Ｋ１Ｋ）、４Ｋ（４Ｋ２Ｋ）、及び／又は、８Ｋ（８Ｋ４Ｋ）対応ＴＶである。以下で、説明の便宜上、受信機５は、２Ｋ／４Ｋ対応ＴＶとして記載する。
【００１３】
送信機３は、入力される基映像（基映像信号）に種々の情報を付帯させてコンテンツを生成し、映像信号として送信する。送信機３は、それぞれの伝送路に出力する信号を各々の変換方式に対応する伝送方式で伝送する。こで、伝送方式は、放送方式、符号化方式、伝送の経路、伝送の方法、伝送帯域、及び回線の種類等を含む信号の伝送に関連する種々の手段（形式）である。
【００１４】
基映像は、撮像装置、例えば、カメラで撮像される高画質映像である。高画質映像は、例えば、４Ｋ（水平方向解像度３８４０／垂直方向解像度２１６０（または１４４０），フレームレート（映像周波数）６０Ｈｚ）の映像、または８Ｋ（水平方向解像度７６８０／垂直方向解像度４３２０、フレームレート１２０Ｈｚ）映像等の２Ｋ（水平方向の画素数が１９２０、垂直方向の画素数が１０８０，フレームレート６０Ｈｚ）の映像よりも高画質な映像である。
【００１５】
本実施形態において、送信機３は、ＳＨＶＣ (Scalable High efiiciency Video Coding)符号化方式をＨＤ（High Definition）放送に適用して構成されている。図１に示すように、ＳＨＶＣ方式の放送では、送信機３は、コンテンツを複数の映像信号、例えば、基準映像信号（第１の映像信号）と拡張映像信号（第２の映像信号）とに変換する。送信機３は、これらの複数の映像信号とこれら映像信号に対応する音声信号とを夫々異なる伝送路で伝送する。例えば、図１に示すように、送信機３は、伝送路１０１に含まれる複数の伝送路の内の異なる伝送路及び／又は異なる伝送方式で基準映像信号及び拡張映像信号と音声信号とを送信する。なお、送信機３は、同一の伝送路及び／又は同一の伝送方式で基準映像信号及び拡張映像信号と音声信号とを送信してもよい。伝送路１０１は、複数の伝送路の集合体である。伝送路１０１は、信号を伝送するための１以上の伝送路であればどのようなものであっても良く、放送波の帯域やＩＰネットワークの回線等を含む。
【００１６】
基準映像信号は、コンテンツである基準映像（第１の映像）を構成する信号であり、例えば、現行の地上デジタル放送波で放送されているＭＰＥＧ２により符号化された映像信号であっても良く、現行の地上デジタル放送波で放送されている映像信号と異なる映像信号であっても良い。
【００１７】
拡張映像信号は、基準映像信号を高画質化するために用いられる。拡張映像信号は、対応する基準映像信号を参照して基準映像信号を高画質な映像（高画質映像（第２の映像））に拡張するための信号である。
【００１８】
本実施形態に係る送信機３の動作について以下で説明する。  
送信機３は、基映像である高画質映像をダウンコンバートして符号化した基準映像信号（第１の映像信号）とこの基準映像信号を参照して符号化した拡張映像信号（第２の映像信号）とを生成する。送信機３は、所定の変換方式で変換した基準映像信号及び拡張映像信号を変調し、伝送路１０１に含まれるいずれかの伝送路に出力する。
【００１９】
送信機３は、ＭＰＥＧ―２符号化方式のエンコーダによって基準映像信号を生成し、ＳＨＶＣ符号化方式（スケーラブル符号化方式）のエンコーダ（ＳＨＶＣエンコーダ）によって拡張映像信号を生成している。ＳＨＶＣ符号化方式では、ＳＨＶＣエンコーダは、予測画像の生成に、インター予測（動き補償予測）、イントラ予測（画面内予測）、及びレイヤ間予測（画像間予測）のいずれかを実行できる。例えば、送信機３は、入力された基映像から基準映像（画像）信号（ＨＤ（２Ｋ）映像信号（第１の映像信号））と、拡張映像信号（４Ｋ映像用のＨＤ映像の補完映像（第２の映像信号））とを生成する。なお、拡張映像信号の多重化方式は、ＭＰＥＧ２−ＴＳ以外にもＭＭＴ，ＭＰＲＧ−ＤＡＳＨ等基準映像信号とは別の他の多重方式であってもよい。
【００２０】
送信機３から出力される基準映像信号は、ＰＳＩ／ＳＩ（第１のＰＳＩ／ＳＩ）、ＥＣＭ（Entitlement Control Message）／ＥＭＭ（Entitlement Management Message）（第１のＥＣＭ／ＥＭＭ）、および時間情報等を備えている。また、拡張映像信号は、ＰＳＩ／ＳＩ（第２のＰＳＩ／ＳＩ）、ＥＣＭ／ＥＭＭ（第２のＥＣＭ／ＥＭＭ）、および時間情報等を備えている。ここで、第１のＰＳＩ／ＳＩ及び第２のＰＳＩ／ＳＩは、同一のコンテンツ（または基映像）に関連する情報である。なお、第２のＰＳＩ／ＳＩは、ＰＭＴ内に異なる伝送路及び／又は異なる伝送方式で伝送される信号のＥＳ（Elementary Stream）（コンポーネントを参照できるようにするための記述子（第１の選局制御情報）を含んでいてもよい。また、第２のＰＳＩ／ＳＩは、例えば、ＮＩＴに新たに基準映像信号及び拡張映像信号を関連付ける記述子（第２の選局制御情報）を含んでいてもよい。第２の選局制御情報は、異なる伝送路及び異なる伝送方式で伝送される信号の識別を可能にし、異なる伝送路及び異なる伝送方式で伝送される信号を参照することを可能にする。
【００２１】
ここで、ＥＣＭは、受信機５の制御に関する情報等の含む共通情報であり、ＥＭＭは、個人契約情報及び共通情報の暗号を解くための情報を含む個別情報である。  
ＰＳＩ及びＳＩは、ＰＡＴ（Program Association Table：プログラムアソシエーションテーブル）、ＰＭＴ（Program Map Table：プログラムマップテーブル）、ＮＩＴ（Network Information Table：ネットワーク情報テーブル）、ＣＡＴ（Conditional Access Table：限定受信テーブル）及びＥＩＴ（Event Information Table：イベント情報テーブル）等を含む。ＰＡＴは、ストリームに含まれるプログラムを管理する情報である。ＰＭＴは、コンテンツを構成するオーディオ／ビデオ（Ａ／Ｖ）などのデータを管理する情報である。ＮＩＴは、ネットワーク関連の設定を管理する情報であり、チャンネル番号、変調方式、及びガードインターバル等の送信するネットワークに関連する情報を含む。ＣＡＴは、有料放送のための管理情報である。なお、以下で説明の便宜上、ＳＩをＰＳＩの一部としてＰＳＩと表現する場合もある。
【００２２】
時間情報は、例えば、ＰＴＳ（Presentation Time Stamp）、ＤＴＳ（Decoding Time Stamp）、システム時刻基準値（System Time Clock : STC）及びＳＣＲ（System Clock Reference）等を含む。
【００２３】
以下で、図面を参照して受信機５について詳細に説明する。  
図２は、第１の実施形態の受信機５の一例を示すブロック図である。  
本実施形態の受信機５は、アンテナ部１０４と、外部入力端子１０５と、外部出力端子１０６及び１０７と、入力部１１１と、信号処理部１１３と、システムコントローラ（システム制御部（制御部））１１４と、ＯＳＤ信号生成部１１５と、グラフィック処理部１１６と、映像処理部１１７と、音声処理部１１８と、音声出力部１１９（スピーカ）と、受信部１２０と、通信インターフェース１２１と、ネットワーク制御部１２２と、ＵＳＢ（Universal Serial Bus）インターフェース１２３と、ＨＤＭＩ（High-Definition Multimedia Interface:登録商標）１２４と、操作部１２５と、記憶部（ストレージ）１２９とを備えている。受信機５は、衛星及び／又は地上波（地上デジタル放送）放送によって送信機３から配信されるコンテンツの構成する信号を受信し、受信したコンテンツの構成する信号を変換してコンテンツとして表示する。また、受信機５は、外付け記憶部（外付けストレージ）３０６と接続することもできる。
【００２４】
アンテナ部１０４は、放送波等を受信し、入力部１１１に出力する。例えば、アンテナ部１０４は、放送波として伝送路１０１を伝送される基準映像信号及び拡張映像信号を受信し、入力部１１１に出力する。  
外部入力端子１０５は、専用回線、端末機器及び／又は外部機器等と接続するための端子である。
【００２５】
外部出力端子（音声出力端子）１０６は、後述する音声処理部１１８から出力される音声信号を接続される音声機器に出力するための端子である。  
外部出力端子（映像出力端子）１０７は、後述する映像処理部１１７から出力される映像を接続される表示機器に出力するための端子である。
【００２６】
入力部１１１は、放送を受信するアンテナ及び受信信号を選択するチューナ等により構成される。入力部１１１は、複数のチューナ、例えば、図５に示すように、地上デジタル放送信号、ＢＳ（Broadcasting satellite）放送信号、及びＣＳ（Communications satellite）信号放送等に対応する８つのチューナを備えている。ここで、地上デジタル放送信号は、地上波放送であり、地上放送波として空間波や回線等で伝送される信号（基準映像信号及び拡張映像信号等）であり、ＢＳ及びＣＳ放送信号は、衛星波放送であり、衛星波として無線通信によって伝送される信号（基準映像信号及び拡張映像信号等）である。ここで
、地上放送波及び衛星波をまとめて放送波と称する場合もある。入力部１１１は、アンテナと接続し、放送事業者が放送用回線及び／又は空間波により供給する番組等を受信する。例えば、入力部１１１は、複数のチューナを備えている場合、これの番組を構成する信号を少なくとも１つのチューナで受信する。また、入力部１１１は、受信した信号を復調部１１２に出力する。入力部１１１は、外部入力端子１０５からも信号を取得することができる。
【００２７】
なお、入力部１１１のチューナは、少なくとも１つの基準映像信号を受信するチューナと、少なくとも１つの拡張映像信号を受信するチューナとを備えている。第１の受信部と第２の受信部とは、システムコントローラ１１４によって任意に設定されてもよいし、ユーザが選択的によって設定されてもよい。このとき、第２の受信部は、ユーザ又はシステムコントローラ１１４によって未使用のチューナに設定されてもよい。例えば、第１の受信部及び第２の受信部は、両方とも放送波による信号を受信可能であってもよい。また、第１の受信部は、放送波で伝送される信号を受信可能であり、第２の受信部は、放送波又はインターネット回線（ネットワーク通信）で伝送される信号を受信可能であってもよい。または、第１の受信部は、放送波又はインターネット回線（ネットワーク通信）で伝送される信号を受信可能であり、第２の受信部は、放送波で伝送される信号を受信可能であってもよい。さらに、第１の受信部及び第２の受信部は、放送波又はインターネット回線（ネットワーク通信）で伝送される信号を受信可能であってもよい。なお、インターネット回線を単に通信と表現する場合もある。
【００２８】
信号処理部１１３は、受信した放送信号に多重化されている番組付帯情報を分離し、分離した番組付帯情報を映像処理部１１７に出力するとともに、記録ストリームをシステムコントローラ１１４に出力する。記録ストリームは、信号処理部１１３において入力部１１１で受信した放送ストリームから番組付帯情報を分離した情報である。信号処理部１１３は、ＳＨＶＣに対応するデコーダを備えている。信号処理部１１３は、入力部１１１から取得した放送の信号（放送信号及び拡張放送信号）を映像信号（ビデオ）（第１のＴＳ信号及び第２のＴＳ信号）と音声信号（オーディオ）と表示制御情報とに分離する。さらに、信号処理部１１３は、第１のＴＳ信号及び第２のＴＳ信号に対して復元処理（復号処理）を実行する。信号処理部１１３は、ＣＰＵ１３１の指示信号に従って、復元処理によって生成した基準映像信号及び高画質映像信号をグラフィック処理部１１６へ出力する。ここで、基準映像信号は、例えば、現行のＨＤ放送で伝送される２Ｋ映像に対応する映像信号である。また、高画質映像信号は、例えば、４Ｋ又は８Ｋ映像に対応する映像信号である。信号処理部１１３は、ＣＰＵ１３１の指示信号に従って音声信号を音声処理部１１８に出力する。
【００２９】
本実施形態において信号処理部１１３は、入力されるスケーラブル符号化（ＳＨＶＣ（ＭＰＥＧ−ＨＥＶＣ  Ｖｉｄｅｏ）符号化）された映像信号の復号処理を実行する。信号処理部１１３は、ＳＨＶＣ符号化方式に対応して、拡張予測画像の復号際に、インター予測（動き補償予測）、イントラ予測（画面内予測）、及びレイヤ間予測（画像間予測）のいずれかを実行できる。例えば、信号処理部１１３は、アップコンバートされた基準映像信号と拡張映像信号とを参照してレイヤ間予測することによって高画質映像信号、例えば、４Ｋ映像信号を生成し、生成した高画質映像信号を出力する。
【００３０】
信号処理部１１３は、復調部２１１と、情報取得部２２１とを備えている。  
復調部２１１は、変調されている信号を復調する。復調部２１１は、複数のチューナに対応する複数の復調部を備えている。復調部２１１は、例えば、伝送路で伝送するために適合するように変調された基準映像信号（ＴＳ信号）及び拡張映像信号（ＴＳ信号）と音声信号とを夫々復調する。録画する場合、復調部２１１は、ＣＰＵ１３１（録画管理部１３６）に従って復調した映像信号（基準映像信号及び拡張映像信号）を記憶部１２９に出力する。
【００３１】
図３は、情報取得部２２１の一例を示すブロック図である。図３では、２種類の線が示されているが、２重線は、コンテンツの信号、例えば、映像信号を含む信号の入出力を示し、実線は、映像信号を含まない、例えば、制御信号及び情報（信号）を含む信号の入出力を示す。  
情報取得部２２１は、複数の信号から各種の情報を取得し、取得した情報を多重化して記録媒体、例えば、記憶部１２９及び／又は外付け記憶部３０６へ出力する。
【００３２】
情報取得部２２１は、少なくとも、入力端子６０、８０と、第１の多重化分離部６２と、第２の多重化分離部８２と、出力端子９０とを備えている。なお、第１の多重化分離部６２及び第２の多重化分離部８２において、システム時刻基準値（System Time Clock : STC）は、共通である。なお、前述のように、情報取得部２２１は、各部がＣＰＵ１３１によって制御処理されている。すなわち、ＣＰＵ１３１は、第１の多重化分離部６２、および第２の多重化分離部８２等を制御する。
【００３３】
入力端子６０は、情報取得部２２１に基準映像信号を入力するための端子である。入力端子６０から入力された基準映像信号は、後述する第１の多重化分離部６２に入力される。入力端子８０は、情報取得部２２１に拡張放送信号を入力するための端子である。入力端子８０から入力された拡張映像信号は、後述する第２の多重化分離部８２に入力される。
【００３４】
第１の多重化分離部６２は、入力された信号を各種情報（信号）と映像信号と音声信号に分離し、分離した各種信号を出力する。また、第１の多重化分離部６２は、設定されたフィルタ条件を満たす信号のみを取り込むＰＩＤフィルタ（第１のＰＩＤフィルタ）６４１を備える。第１の多重化分離部６２は、ＣＰＵ１３１の指示信号に従ってＰＩＤフィルタ６４１の値を設定することができる。
【００３５】
また、第１の多重化分離部６２は、入力される信号に付帯される情報からＰＡＴを取り出す。そして、第１の多重化分離部６２は、ユーザ操作、例えば、リモコン３０２等によって指定された番組のＰＭＴに対応するＰＩＤを取得し、このＰＩＤで指定されたＰＭＴを取得する。第１の多重化分離部６２は、このＰＭＴで指定された映像信号、音声信号、及び各種情報（ＰＳＩ／ＳＩ、ＳＩに含まれるＥＩＴ等）を取得する。
【００３６】
さらに、第１の多重化分離部６２は、入力された信号に暗号化解除の処理を実行する。第１の多重化分離部６２は、暗号化を解除した信号（映像信号、音声信号、及び各種情報等）からＣＰＵ１３１によって要求される各種情報を出力する。例えば、第１の多重化分離部６２は、後述する録画管理部１３６に従って取得した番組の情報を記憶媒体、例えば、記憶部１２９及び／又は外付け記憶部３０６に出力する。  
また、第１の多重化分離部６２は、ＣＰＵ１３１の指示信号に従って、同一の信号におけるＥＳだけではなく、異なる信号、例えば、拡張映像信号内のＰＳＩに含まれるＰＭＴを参照しているのと同等の処理が可能になり、拡張映像信号内のＥＳを参照することができる。なお、第１の多重化分離部６２は、拡張映像信号内のＰＳＩを参照しなくともよい。第１の多重化分離部６２は、基準映像信号のＰＳＩ／ＳＩ等の情報のみを参照するように構成されていてもよい。
【００３７】
第２の多重化分離部８２は、入力される信号を各種情報（信号）と映像信号と音声信号に分離し、分離した各種信号を出力する。第２の多重化分離部８２は、設定されたフィルタ条件を満たす信号のみを取り込むＰＩＤフィルタ（第２のＰＩＤフィルタ）６４２を備える。第２の多重化分離部８２は、ＣＰＵ１３１の指示信号に従ってＰＩＤフィルタ６４２の値を設定することができる。  
第２の多重化分離部８２は、第１の多重化分離部６２と同様に、映像信号、音声信号及び各種情報（ＰＳＩ／ＳＩ、ＳＩに含まれるＥＩＴ等）を取得する。
【００３８】
第２の多重化分離部８２は、入力された信号に暗号化解除の処理を実行する。第２の多重化分離部８２は、暗号化を解除した信号（映像信号、音声信号、及び各種情報等）からＣＰＵ１３１によって要求される各種情報を出力する。例えば、第２の多重化分離部８２は、第１の多重化分離部６２と同様に、後述する録画管理部１３６に従って取得した番組の情報を記憶媒体、例えば、記憶部１２９及び／又は外付け記憶部３０６に出力する。
【００３９】
第２の多重化分離部８２は、ＣＰＵ１３１の指示信号に従って、同一の信号におけるＥＳだけではなく、異なる信号、例えば、基準映像信号内のＰＳＩに含まれるＰＭＴを参照しているのと同等の処理が可能になり、基準映像信号内のＥＳを参照することができる。第２の多重化分離部８２は、拡張映像信号のＰＳＩ／ＳＩ等の情報のみを参照するように構成されていてもよい。
【００４０】
システムコントローラ（システム制御部）１１４は、受信機５の各部の動作を制御する。すなわち、システムコントローラ１１４は、入力部１１１、信号処理部１１３、ＯＳＤ信号生成部１１５、グラフィック処理部１１６、映像処理部１１７、音声処理部１１８、音声出力部１１９、受信部１２０、通信インターフェース（Ｉ／Ｆ）１２１、ネットワーク制御部１２２、ＵＳＢインターフェース（Ｉ／Ｆ）１２３、ＨＤＭＩ１２４、操作部１２５、及び記憶部１２９等を制御する。
【００４１】
システムコントローラ１１４は、受信部１２０が受信するリモコン端末（リモートコントローラ（リモコン））３０２、外付け記憶部３０６や携帯型端末、例えば、スマートフォン、携帯電話、タブレット、及びノートＰＣ等からの入力信号（操作指示信号）に対応する各種の制御コマンドを出力する。ここで、制御コマンドとは、例えば、テレビ方法（番組）の録画、録画されたコンテンツ（番組）の再生、等を指示するコマンドである。
【００４２】
また、システムコントローラ１１４は、ＣＰＵ１３１と、ＲＯＭ（Read Only Memory）１３２と、ＲＡＭ（Random Access Memory）１３３と、ＮＶＭ(Non-Volatile Memory)１３４と、容量管理部１３５と、録画管理部１３６とを含む。  
ＣＰＵ１３１は、動作を制御するメインプロセッサである。ＣＰＵ１３１は、ＲＯＭ１３２、およびＮＶＭ１３４等に含まれる設定情報を読み込んで実行することができる。また、ＣＰＵ１３１は、システムコントローラ１１４に含まれる複数の回路もそれぞれ制御する。ＣＰＵ１３１は、受信機５の本体に設けられた操作部１２５からの操作情報、またはリモコン３０２から送信され受信部１２０で受信された操作情報を受けることにより、それら操作情報の操作内容が反映されるように受信機５の各部をそれぞれ制御する。
【００４３】
ＲＯＭ（読取専用メモリ）１３２は、システムコントローラ１１４（ＣＰＵ１３１）が実行する制御プログラムを保持する。  
ＲＡＭ（ランダムアクセスメモリ（ワークメモリ））１３３は、システムコントローラ１１４（ＣＰＵ１３１）に作業エリアを提供する。
【００４４】
ＮＶＭ（不揮発性メモリ）１３４は、受信機５の各種の設定情報および制御情報等を保持する。また、不揮発性メモリ１３４は、番組表の構築内容情報を保持することもできる。例えば、不揮発性メモリ１３４は、各種表示する表示画面の設定情報を備えている。
【００４５】
容量管理部１３５は、ＣＰＵ１３１に従って記録媒体の容量（ストレージ容量）や保存データ、各種映像データ（映像信号）及び音声データ（音声信号）等のデータサイズを管理する。容量管理部１３５は、ＣＰＵ１３１に従って各種データのデータサイズを情報取得部２２１から取得し、取得したデータサイズを出力する。また、容量管理部１３５は、記録媒体の容量を記憶領域の区分毎に管理し、記憶媒体の残りの空き容量を記憶領域区分毎に出力することができる。例えば、容量管理部１３５は、記憶部１２９の記憶容量を管理する。容量管理部１３５は、記憶部１２９の記憶領域の残りの空き容量を出力する。容量管理部１３５は、記憶領域を区分毎に管理するための容量の管理テーブルを保持していてもよい。なお、容量管理部１３５は、記憶媒体の容量から録画可能時間を算出して出力することもできる。容量管理部１３５は、回路として記載しているが、ファームウェアとしてＣＰＵ１３１に組み込まれていてもよい。
【００４６】
なお、外部の記憶媒体が受信機５に接続されている場合、容量管理部１３５は、内蔵の記憶媒体と外付けの記憶媒体とを同時に管理することも可能であり、選択的に一方の容量のみを管理することもできる。選択的に管理する場合には、容量管理部１３５は、ユーザ操作に従って決定された記憶媒体を管理する。例えば、容量管理部１３５は、内蔵の記憶部１２９及び外付け記憶部３０６を同時に管理することもできる。
【００４７】
録画管理部１３６は、ＣＰＵ１３１に従って録画動作を管理する。また、録画管理部１３６は、ＣＰＵ１３１から録画を実行する信号を受けた場合に、録画するコンテンツ（テレビ番組等）の管理リスト（管理情報）、録画リスト（録画情報）、及び録画ダイヤログ（録画ダイヤログボックス）を作成する。録画管理部１３６は、基準映像信号およびこの基準映像信号に対応する拡張映像信号を関連付ける機能を備える。録画管理部１３６は、作成した管理リスト、録画リスト、及び録画ダイヤログを記憶部１２９に記憶する。なお、管理リスト、録画リスト、及び録画ダイヤログは、記憶部１２９以外に記憶されていてもよい。例えば、管理リスト及び録画リストは、外付け記憶部３０６及び／又はＮＶＭ１３４に記憶されていてもよい。録画管理部１３６は、回路として記載しているが、ファームウェアとしてＣＰＵ１３１に組み込まれていてもよい。
【００４８】
録画管理部１３６は、容量管理部１３５から出力された記憶媒体の残りの空き容量を録画リスト及び録画ダイヤログに表示させることもできる。例えば、録画管理部１３６は、ユーザ操作によって記憶媒体の空き容量の表示を要求された場合、記憶媒体の残り空き容量を録画リスト及び録画ダイヤログに表示するように処理をする。録画管理部１３６は、管理リストの情報として録画番組のデータの容量（大きさ）の情報を保持する。例えば、録画管理部１３６は、ユーザ操作によって録画番組のデータの容量（大きさ）の表示を要求された場合、録画リスト及び録画ダイヤログに録画番組のデータの容量の情報を表示するように処理する。
【００４９】
管理リストは、メタデータ（コンテンツの詳細情報（番組ＩＤ、タイトル、シリーズＩＤ）、録画した日時情報（録画日、開始時刻、終了時刻）、視聴履歴等）と、ストレージにおける保存場所を示すリンク情報、ストレージにおけるデータのアドレス、及び拡張映像信号に関連する情報である拡張情報等を含んでいる。録画管理部１３６は、録画する際にＰＳＩ／ＳＩ情報から録画する映像のメタデータ、リンク情報、アドレス、及び拡張情報を拡張情報取得部から取得する。
【００５０】
録画リストは、番組に関連する情報を含む録画番組の一覧表を示す画像等である。録画リストは、ユーザ操作によって画面上に表示される。ユーザは、画面上に表示された録画リストを操作することによって録画した番組の再生、削除、および複製等ができる。
【００５１】
録画ダイヤログは、視聴可能な番組の一覧表を示す画像等である。録画ダイヤログは、ユーザ操作によって画面上に表示される。録画ダイヤログは、ユーザ操作によって録画が実行される際に、ユーザに応答を求めるように表示されるポップアップ画像である。ユーザは、画面上に表示された録画ダイヤログを操作することによって録画したい番組等を選択し、ＣＰＵ１３１（録画管理部１３６）に選択した番組の録画を実行できる。
【００５２】
ＯＳＤ信号生成部１１５は、ＯＳＤ（On Screen Display）信号を生成する。ＯＳＤ信号生成部１１５は、生成したＯＳＤ信号をグラフィック処理部１１６に出力する。例えば、ＯＳＤ信号生成部１１５は、システムコントローラ１１４（ＣＰＵ１３１）によって取得された番組情報から生成されるＥＰＧ等のＯＳＤ信号を生成し、グラフィック処理部１１６へ出力する。
【００５３】
グラフィック処理部１１６は、信号処理部１１３から供給されるデジタルの映像に、ＯＳＤ信号生成部１１５で生成されるＯＳＤ信号を重畳して出力する機能を有する。このグラフィック処理部５８は、信号処理部１１３の出力映像信号と、ＯＳＤ信号生成部１１５の出力ＯＳＤ信号とを選択的に出力すること、また、両出力を組み合わせて出力することができる。
【００５４】
映像処理部１１７は、映像信号を表示可能な所定の解像度及び出力方式に変換し、変換した映像信号を出力する。例えば、表示装置１５０が受信機５に接続されている場合、映像処理部１１７は、表示装置１５０での表示に適した解像度及び出力方式に変換し、表示装置１５０へ出力する。映像処理部１１７は、外部機器として接続される外部モニタ装置あるいは投影装置（プロジェクタ装置）等の出力端に前述の映像信号を出力してもよい。
【００５５】
音声処理部１１８は、入力部１１１が受信する番組の音声／音響信号（オーディオ）をデコードし、音声出力部１１９に出力する。  
音声出力部１１９は、音声を出力する機器等であり、例えば、スピーカ等である。
【００５６】
受信部１２０は、外部端末、例えば、リモコン３０２、及び携帯型端末等からの入力信号に対応する制御コマンドをシステムコントローラ１１４に入力する。
【００５７】
通信インターフェース１２１は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダー（読取部）３０４等との通信もできる。
【００５８】
ネットワーク制御部１２２は、外部ネットワーク、例えば、インターネット（ＩＰネットワーク）へのアクセスを制御する。ネットワーク制御部１２２は、インターネット（ＩＰネットワーク）上で情報の送受信（ネットワーク通信）を実行する。例えば、ネットワーク制御部１２２は、ＩＰネットワークを介して拡張映像の情報を受信することもできる。この場合、ネットワーク制御部１２２は、ＣＰＵ１３１の指示信号に従って入力部１１１に拡張映像信号に入力する。なお、ネットワーク制御部１２２は、基準映像信号及び／又は拡張映像信号を受信し、入力部１１１に出力していてもよい。
【００５９】
ＵＳＢインターフェース１２３は、例えば、ＵＳＢ規格に準拠する外部機器、例えば外付けの記憶媒体である外付け記憶部３０６等が接続される。  
ＨＤＭＩ１２４は、ＨＤＭＩ規格またはＭＨＬ（Mobile High-definition Link）規格を利用する複数の機器の間の有線通信を可能にする。
【００６０】
操作部１２５は、ユーザによる直接操作に対応する制御コマンドをシステムコントローラ１１４に入力する。  
記憶部１２９は、データを記憶するための記憶媒体である。記憶部１２９は、磁気記憶媒体、例えば、ＨＤＤ（Hard Disk Drive）である。記憶部１２９は、受信機５の各種設定情報及び受信したコンテンツ、表示装置１５０に表示される映像等を記録する。記憶部１２９は、復調部１１２に接続され、入力部１１１で受信されたコンテンツを記憶する。例えば、記憶部１２９は、基準映像信号と拡張映像信号とを再生可能なように関連付けて記憶する。このとき記憶部１２９は、録画されるときにＣＰＵ１３１によって生成される録画されるコンテンツの管理リストを生成する。なお、記憶部１２９は、外部機器としてＵＳＢインターフェース１２３を介して接続されていてもよい。
【００６１】
図４は、本実施形態の記憶媒体の記憶データの一例を示す概要図である。  
図４に示すように、本実施形態の記憶媒体、例えば、記憶部１２９及び外付け記憶部３０６は、それぞれ、メタデータ領域Ａ１と、記憶領域Ａ２とを備えている。以下、説明の便宜上、記憶部１２９について説明するが、外付け記憶部３０６も同等の記憶データを保持する場合がある。
【００６２】
記憶部１２９は、メタデータ領域Ａ１にメタデータを保持し、記憶領域Ａ２に種々のコンテンツ、例えば、番組を保持している。メタデータは、例えば、コンテンツ基本情報と、基準映像信号の参照情報（参照データ）と、拡張映像信号の参照情報とで構成される。コンテンツ基本情報は、記憶データのアドレス、録画番組の録画時間、録画番組のデータサイズ、録画番組のジャンル情報、録画番組の放送局情報、およびインターネット配信時のＵＲＬ等を含む。ここで、参照情報は、種々の情報を含み、例えば、基準映像信号及び拡張映像信号の関連性を示す情報も含む。なお、参照情報は、コンテンツ基本情報を含んでいてもよい。基準映像信号の参照情報は、基準映像信号のストレージの保存場所へのリンク情報及びストレージの保存場所のアドレス等である。また、基準映像信号の参照情報は、対応する拡張映像信号とひも付け情報を含む。ひも付け情報は、基準映像信号に対応する拡張映像情報の識別子、保存場所や保存場所へのリンク情報等である。同様に、拡張映像信号の参照情報は、拡張映像信号のストレージの保存場所へのリンク情報及びストレージの保存場所のアドレス等である。また、拡張映像信号の参照情報は、対応する基準映像信号とひも付け情報を含む。ひも付け情報は、拡張映像信号に対応する基準映像情報の識別子、保存場所や保存場所へのリンク情報等である。
【００６３】
ユーザ操作によって所定の番組に対する指示を受けた場合、ＣＰＵ１３１は、メタデータを参照することによって所定の保存データにアクセスすることができる。例えば、ユーザ操作によって所定の番組の基準映像信号が要求された場合、ＣＰＵ１３１は、メタデータのコンテンツ基本情報および基準映像信号の参照情報を参照し、ストレージ内の基準映像信号の保存データにアクセスする。さらに、ユーザ操作によって選択された基準映像信号の高画質映像が要求された場合、ＣＰＵ１３１は、メタデータのコンテンツ基本情報及び拡張映像信号の参照情報を参照し、選択された基準映像信号の拡張映像信号の保存データを取得する。ＣＰＵ１３１は、取得した基準映像信号および拡張映像信号を信号処理部１１３で復号して、再生処理することもできる。
【００６４】
図５は、本実施形態の受信機５の録画動作を示すフローチャートである。  
Ｓ５０１において、リモコン３０２等を介したユーザ操作によって録画したい番組が選択される。  
Ｓ５０２において、ユーザ操作によって選択された番組の録画が実行される。  
Ｓ５０３において、録画管理部１３６は、録画番組のメタデータを情報取得部２２１から取得し、メタデータを一時的にＲＡＭ１３３及び／又はＮＶＭ１３４に保存する。
【００６５】
Ｓ５０４において、録画管理部１３６は、情報取得部２２１で取得される情報から録画番組がＳＨＶＣコンテンツであるかどうかを判断する。例えば、録画管理部１３６は、情報取得部２２１で取得されるＥＩＴに新たに記載されているＳＨＶＣを示すフラグを読み込んで録画番組がＳＨＶＣコンテンツであるかどうかを判断する。なお、ここで、ＳＨＶＣコンテンツとは、基準映像信号に対応する拡張映像信号が放送又は配信されている番組等を指す。
【００６６】
ＳＨＶＣコンテンツである場合（Ｓ５０４のＹＥＳ）、Ｓ５０５において、録画管理部１３６は、表示装置１５０に表示される録画ダイヤログに拡張映像（信号）の録画オプションを追加し、Ｓ５０６の処理に進む。  
ＳＨＶＣコンテンツでない場合（Ｓ５０４のＮＯ）、Ｓ５０６の処理に進む。
【００６７】
Ｓ５０６において、ＣＰＵ１３１は、録画管理部１３６によって作成された録画リストを表示する。  
Ｓ５０７において、表示された録画ダイヤログの選択肢が選択され、ユーザ操作によって決定操作が実行される。
【００６８】
Ｓ５０８において、ＣＰＵ１３１によって拡張映像信号を録画するかどうかの選択を要求される。  
拡張映像信号を録画することがユーザ操作によって選択された場合（Ｓ５０８のＹＥＳ）、Ｓ５０９において、録画管理部１３６は、情報取得部２２１によって取得した録画番組のメタデータを記憶部１２９及び／又は外付け記憶部３０６に作成（記憶）する。
【００６９】
Ｓ５１０において、録画管理部１３６は、作成したメタデータに基準映像信号の参照情報と拡張映像信号の参照情報とを追加する。
【００７０】
Ｓ５１１において、ＣＰＵ１３１（録画管理部１３６）は、基準映像信号及び拡張映像信号の各々を記憶媒体、例えば、記憶部１２９及び／又は外付け記憶部３０６の記憶領域の所定の場所に同時に記憶（録画）する。
【００７１】
拡張映像信号を録画しないことがユーザ操作によって選択された場合（Ｓ５０８のＮＯ）、Ｓ５１２において、録画管理部１３６は、情報取得部２２１によって取得した録画番組のメタデータを記憶部１２９及び／又は外付け記憶部３０６に作成（記憶）する。
【００７２】
Ｓ５１３において、録画管理部１３６は、作成したメタデータに基準映像信号の参照情報を追加する。
【００７３】
Ｓ５１４において、ＣＰＵ１３１（録画管理部１３６）は、基準映像信号を記録媒体、例えば、記憶部１２９及び／又は外付け記憶部３０６の記憶領域の所定の場所に記憶する。ここで、基準映像信号は、現行放送の映像信号とほぼ同等である。したがって、基準映像信号の録画処理は、現行の放送番組を録画する処理とほぼ同等な処理で実行することができる。
【００７４】
以下で図面を参照して本実施形態の受信機５における録画時の動作のいくつかの例を示す。  
図６Ａ、図６Ｂ及び図６Ｃは、本実施形態の受信機５における録画時の動作の一例を示す図である。  
図６Ａは、番組表の一例を示し、図６Ｂは、本実施形態の録画ダイヤログＰ１の一例を示す図である。図６Ａにおいて参照符号Ｇ１は、ＥＰＧ（Electronic Program Guide：電子番組ガイド（以下、番組表））を示し、参照符号ＰＲ１は、番組表中の１つの番組を示している。
【００７５】
図６Ａにおいて、リモコン３０２等を介したユーザ操作によって番組表Ｇ１の番組ＰＲ１が選択される。リモコン３０２等を介したユーザ操作によって選択した番組ＰＲ１の録画を実行するための操作が行われる。このとき、図６Ｂに示すように、録画ダイヤログＰ１が番組表Ｇ１上に表示される。録画ダイヤログＰ１は、記憶媒体、例えば、ＨＤＤ１（記憶部１２９）等の空き容量表示Ｉ６０１と、録画オプション等とを含んでいる。
【００７６】
空き容量表示Ｉ６０１は、１つだけ表示されていてもよいし、受信機５が複数の記憶媒体を備える場合にはこれら複数の記憶媒体の空き容量を示すために複数個表示されていてもよい。ユーザは、空き容量表示Ｉ６０１を確認することによって拡張映像信号を保存するかどうかを判断することができる。
【００７７】
録画オプションは、少なくとも拡張映像（信号）を保存するかどうかの選択肢ボタンＢ１を含んでいる。選択した番組が拡張映像信号の配信がされていない場合には、この選択肢ボタンＢ１は、表示されないか、または選択できないように表示される。例えば、録画オプションは、図６Ｂに示すように、“お気に入りに設定する”、“シリーズ連続録画する”、“録画先のＨＤＤを変更する”、及び“４Ｋ拡張映像を保存しない”等の選択肢を含む。
【００７８】
図６Ｂにおいて、ユーザ操作によって＜録画オプション＞の“４Ｋ拡張映像を保存しない”の選択肢ボタンＢ１を選択して番組録画が実行された場合、録画管理部１３６は、記憶媒体に録画番組のメタデータを作成し、基準映像信号のみを記憶部１２９及び／又は外付け記憶部３０６等に記憶する。このとき、ユーザは、録画したい番組のジャンルに応じて高画質映像、例えば、４Ｋ映像の解像度が必要であるかどうかを判断して“４Ｋ拡張映像を保存しない”の選択肢ボタンＢ１を選択できる。例えば、ニュースやバラエティ等を録画する場合には、４Ｋ映像である必要がないために選択肢ボタンＢ１が選択される。映画、ドキュメンタリー、および旅番組等を録画する場合には、４Ｋ映像であることが望ましいと考えられるので、選択肢ボタンＢ１が選択されない。
【００７９】
図６Ｃは、本実施形態の録画ダイヤログＰ１の一例を示す図である。  
図６Ｃに示すように、リモコン３０２等を介してユーザ操作によって録画ダイヤログＰ１の“４Ｋ拡張映像を保存しない”の選択肢ボタンＢ１が選択された場合、録画番組のデータサイズを示すポップアップＰ２が表示されてもよい。ポップアップＰ２は、容量管理部１３５によって作成される。例えば、ポップアップＰ２は、４Ｋ拡張映像を保存（録画）した場合の録画映像のデータサイズ（拡張データサイズ、４Ｋ拡張データサイズ）や、２Ｋ映像を保存（録画）した場合の録画映像のデータサイズ（２Ｋ録画データサイズ）等を含んでもよい。ユーザはポップアップＰ２を確認することによって、拡張映像を保存すべきかどうかを判断することができる。
【００８０】
本実施形態によれば、受信機５は、システムコントローラ１１４に容量管理部１３５と録画管理部１３６とを備える。容量管理部１３５は、各種データのサイズや記憶媒体の容量を管理する。録画管理部１３６は、受信機５の録画動作を管理し、管理リスト、録画リストおよび録画ダイヤログ等を作成する。その結果、本実施形態の受信機５は、記憶媒体（ストレージ）の空き容量に応じて基準映像信号及び拡張映像信号をユーザ操作によって選択的に保存する。すなわち、ユーザは、記憶媒体の空き容量に応じて基準映像信号及び拡張映像を保存するかどうかを選択することができる。また、ユーザは、コンテンツ（番組）のジャンル毎に基準映像信号に対応する拡張映像信号を保存するかどうかを選択することができる。その結果、本実施形態の受信機５は、記憶媒体を効率的に利用することができる。
【００８１】
次に第１の実施形態に係る送受信システムの変形例について説明する。実施形態の変形例において、前述した実施形態と同一の部分には同一の参照符号を付してその詳細な説明を省略する。
【００８２】
（変形例１）  
第１の実施形態の変形例１の送受信システム１は、第１の実施形態の構成とほぼ同等であるが、送信機３が拡張映像信号に複製（コピー）を制限する記述子を付加する構成である。
【００８３】
送信機３は、拡張映像信号のＰＳＩ／ＳＩ情報（ＰＭＴに含まれる“デジタルコピー制御記述子（Digital copy control descripto）”）にコピーを制限する情報を新規定義（記述）して伝送路１０１に伝送することができる。
【００８４】
図７（ａ）は、新規定義されるデジタルコピー制御記述子のデータ構造を示す図であり、図７（ｂ）は、デジタルコピー制御情報を示す図である。なお、図７（ａ）、（ｂ）に示すデータ構造は、デジタル放送に使用する番組配列情報の標準規格であるＡＲＩＢ  ＳＴＤ−Ｂ１０の規定されているデータ構造である。
【００８５】
送信機３は、拡張映像信号にコピー制御記述子を含むコピー制限情報を多重化して送信する。  
図７（ａ）のデジタルコピー記述子のデータ構造において、送信機３は、ユーザ、または事業者によってコピー世代を制御する情報である“digital_recording_control_data”を図７（ｂ）のデジタルコピー制御情報に従って符号化する。例えば、送信機３は、コピー禁止する場合には、“digital_recording_control_data”にデジタルコピー制御情報として”１１“を符号化する。また、送信機３は、送信者側でコピーの回数を決定する場合には、“digital_recording_control_data”にデジタルコピー制御情報として”０１“を符号化する。
【００８６】
本実施形態において、送信機３は、拡張映像信号のコピー制限情報（第２のコピー制限情報）を基準映像信号のコピー制限情報（第１のコピー制限情報）と異なるように設定する。なお、送信機３は、現行で使用されている第１のコピー制限情報、例えば、ダビング１０に準拠するコピー制限回数１０回とする情報を使用する。送信機３は、例えば、第２のコピー制限情報に含まれるコピー可能回数を第１のコピー制限情報のコピー可能回数よりも少なく、または禁止するように設定する。
【００８７】
受信機５の録画管理部１３６は、第１のコピー制限情報及び第２のコピー制限情報を読み込んで記録回数（コピー制限）に従って録画動作を実行する。なお、拡張映像信号に異なる伝送路の情報（例えば、ＥＳ）を読み込むための記述子が記載されている場合、録画管理部１３６は、拡張映像信号を読み込むだけで第１のコピー制限情報及び第２のコピー制限情報を読み込んで、コピー制限を実行することができる。
【００８８】
本実施形態の変形例１によれば、送信機３は、拡張映像信号に新規定義したコピー制限情報を多重化して送信する。受信機５は、録画管理部１３６によって拡張映像信号に含まれる第２のコピー制限情報を取得することによって拡張映像信号を記録可能かどうかをすぐに判断できる。その結果、本実施形態の受信機５は、記憶媒体を効率的に利用することができる。
【００８９】
次に他の実施形態に係る送受信システムについて説明する。他の実施形態において、前述した実施形態と同一の部分には同一の参照符号を付してその詳細な説明を省略する。  
（第２の実施形態）  
第２の実施形態の受信機５は、第１の実施形態の受信機５とほぼ同等の構成であるが、録画された拡張映像信号のみを削除できる構成をさらに備えている。
【００９０】
図８は、第２の実施形態の受信機５の一例を示すブロック図である。  
第２の実施形態の受信機５は、第１の実施形態の構成に加えて、システムコントローラ１１４に削除管理部１３７をさらに備えている。
【００９１】
削除管理部１３７は、ＣＰＵ１３１に従って削除動作を管理する。また、削除管理部１３７は、ＣＰＵ１３１から録画番組の削除を実行する信号を受けた場合に表示する削除ダイヤログ（削除ダイヤログボックス）を作成する。削除管理部１３７は、ユーザ操作によって削除信号を取得した場合には録画番組のメタデータを取得し、記憶媒体内での録画番組の基準映像信号に対応する拡張映像信号の記憶場所を特定する。削除管理部１３７は、作成した削除ダイヤログを記憶部１２９に記憶する。なお、削除ダイヤログは、記憶部１２９以外に記憶されていてもよい。例えば、削除ダイヤログは、外付け記憶部３０６及び／又はＮＶＭ１３４に記憶されていてもよい。削除管理部１３７は、回路として記載しているが、ファームウェアとしてＣＰＵ１３１に組み込まれていてもよい。
【００９２】
削除管理部１３７は、容量管理部１３５から出力された記憶媒体の残りの空き容量を削除ダイヤログに表示させることもできる。例えば、削除管理部１３７は、ユーザ操作によって記憶媒体の残りの空き容量の表示を要求された場合、記憶媒体の残り空き容量を削除ダイヤログに表示するように処理をする。また、削除管理部１３７は、管理リストから情報として録画番組の録画データの容量の情報を取得することもできる。例えば、削除管理部１３７は、ユーザ操作によって削除対象である録画番組のデータの容量（大きさ）の表示を要求された場合、削除ダイヤログに録画番組のデータの容量の情報を表示するように処理する。
【００９３】
図９は、本実施形態の受信機５の録画番組の削除動作を示すフローチャートである。  
Ｓ９０１において、リモコン３０２等を介したユーザ操作によって録画リストが表示される。  
Ｓ９０２において、ユーザ操作によって録画リストから録画番組が選択される。  
Ｓ９０３において、ユーザ操作によって端末、例えば、リモコン３０２に備えられた削除ダイヤログキー（削除ダイヤログボタン）が押下される。
【００９４】
Ｓ９０４において、削除管理部１３７は、Ｓ９０２及びＳ９０３で選択された録画番組のメタデータを取得し、記憶媒体、例えば、記憶部１２９及び外付け記憶部３０６内での基準映像信号に対応する拡張映像信号の記憶場所を特定する。
【００９５】
Ｓ９０５において、削除管理部１３７は、取得したメタデータから削除対象の録画番組がＳＨＶＣコンテンツであるかどうかを判断する。
【００９６】
ＳＨＶＣコンテンツであると判断された場合（Ｓ９０５のＹＥＳ）、Ｓ９０６において、削除管理部１３７は、表示装置１５０に表示される削除ダイヤログに拡張映像（信号）の削除オプションを追加する。
【００９７】
Ｓ９０７において、ＣＰＵ１３１は、表示装置１５０に削除ダイヤログを表示する。  
Ｓ９０８において、ユーザ操作によって削除ダイヤログで録画番組の削除が選択された場合には、削除管理部１３７は、選択された録画番組の削除の実行指示を発する。
【００９８】
Ｓ９０９において、削除管理部１３７は、削除指示された録画番組に関連するメタデータから拡張映像の参照情報を取得し、Ｓ９１２の処理へ進む。  
ＳＨＶＣコンテンツでないと判断された場合（Ｓ９０５のＮＯ）、Ｓ９１０において、ＣＰＵ１３１は、表示装置１５０に削除ダイヤログを表示する。  
Ｓ９１１において、ユーザ操作によって削除ダイヤログで録画番組の削除が選択された場合には、削除管理部１３７は、選択された録画番組の削除の実行指示を発し、Ｓ９１５の処理へ進む。
【００９９】
Ｓ９１２において、ユーザ操作によって削除ダイヤログの削除オプションで拡張映像のみの削除が選択されているかどうかを判断する。
【０１００】
削除ダイヤログの削除オプションで拡張映像のみの削除が選択されている場合（Ｓ９１２のＹＥＳ）、Ｓ９１３において、削除管理部１３７は、削除指示された拡張映像信号の保存データを削除する。  
Ｓ９１４において、削除管理部１３７は、基準映像信号の参照情報に含まれる削除された拡張映像信号とのひも付け情報を削除し、Ｓ９１７の処理へ進む。
【０１０１】
削除ダイヤログの削除オプションで拡張映像のみの削除が選択されていない場合（Ｓ９１２のＮＯ）、Ｓ９１５において、削除管理部１３７は、削除指示された録画番組の基準映像信号及び拡張映像信号の保存データを削除する。
【０１０２】
Ｓ９１６において、削除管理部１３７は、削除指示された録画番組のメタデータを削除し、Ｓ９１７の処理へ進む。
【０１０３】
Ｓ９１７において、容量管理部１３５は、記憶媒体、例えば、記憶部１２９及び／又は外付け記憶部３０６の空き容量を更新し、録画可能時間も更新する。
【０１０４】
以下で図面を参照して本実施形態の受信機５における録画時の動作のいくつかの例を示す。  
図１０Ａ、図１０Ｂ及び図１０Ｃは、本実施形態の受信機５における削除時の動作の一例を示す図である。  
図１０Ａは、本実施形態の録画リストの一例を示し、図１０Ｂは、本実施形態の削除ダイヤログＰ３の一例を示す図である。図１０Ａにおいて参照符号Ｇ２は、録画管理部１３６によって作成された録画リストを示している。図１０Ｂにおいて参照符号Ｐ３は、削除ダイヤログを示している。
【０１０５】
図１０Ａに示すように、リモコン３０２等を介したユーザ操作によって録画リストＧ２が表示装置１５０上に表示される。図１０Ａにおいてユーザ操作によって録画リストＧ２に表示されている録画番組が削除の対象として選択されると、図１０Ｂに示すように削除ダイヤログＰ３が録画リストＧ２上に表示される。削除ダイヤログＰ３は、記憶媒体、例えば、ＨＤＤ１（記憶部１２９）等の空き容量表示Ｉ６０１と、削除オプション等とを含んでいる。
【０１０６】
空き容量表示Ｉ６０１は、１つだけ表示されていてもよいし、受信機５が複数の記憶媒体を備える場合にはこれら複数の記憶媒体の空き容量を示すために複数個表示されていてもよい。ユーザは、空き容量表示Ｉ６０１を確認することによって拡張映像信号を保存するかどうかを判断することができる。
【０１０７】
削除オプションは、少なくとも拡張映像（信号）を削除するかどうかの選択肢ボタンＢ２を含んでいる。選択した番組が拡張映像信号の配信がされていない場合には、この選択肢ボタンＢ２は、表示されないか、または選択できないように表示される。例えば、削除オプションは、図１０Ｂに示すように、“録画番組を削除”、“録画番組の４Ｋ拡張映像だけを削除”、及び“キャンセル”等の選択肢を含む。
【０１０８】
図１０Ｂにおいて、ユーザ操作によって削除オプションの“録画番組の４Ｋ拡張映像だけを削除”の選択肢ボタンＢ２を選択して録画番組の削除が実行された場合、削除管理部１３７は、記憶媒体からメタデータの拡張映像信号の参照情報を参照し、録画番組に関連する拡張映像信号のみを記憶部１２９及び／又は外付け記憶部３０６等から削除する。このとき、ユーザは、削除したい録画番組のジャンルに応じて高画質映像、例えば、４Ｋ映像の解像度が必要であるかどうかを判断して“録画番組の４Ｋ拡張映像だけを削除”の選択肢ボタンＢ２を選択できる。例えば、録画番組がニュースやバラエティ等である場合には、４Ｋ映像である必要がないために選択肢ボタンＢ２が選択される。録画番組が映画、ドキュメンタリー、および旅番組等である場合には、４Ｋ映像であることが望ましいと考えられるので、選択肢ボタンＢ２が選択されない。
【０１０９】
図１０Ｃは、本実施形態の削除ダイヤログＰ３の一例を示す図である。  
図１０Ｃに示すように、リモコン３０２等を介してユーザ操作によって削除ダイヤログＰ３の“録画番組の４Ｋ拡張映像だけを削除”の選択肢ボタンＢ２が選択された場合、録画番組のデータサイズを示すポップアップＰ４が表示されてもよい。ポップアップＰ４は、容量管理部１３５によって作成される。例えば、ポップアップＰ４は、４Ｋ拡張映像データサイズや、削除後の記憶媒体、例えば、記憶部１２９及び／又は外付け記憶部３０６の空き容量等を含んでもよい。ユーザはポップアップＰ４を確認することによって、拡張映像を削除すべきかどうかを判断することができる。
【０１１０】
図１１は、本実施形態のリモコン３０２の一例を示す図である。  
図１１に示すように、本実施形態のリモコン３０２は、図１０Ａ乃至図１０Ｃに示すような削除ダイヤログを表示するための専用のボタン（削除ダイヤログボタン、削除ダイヤログキー）Ｂ３を備えていてもよい。録画リストを表示した状態である録画番組を選択した場合、ユーザがボタンＢ３を押下することによって削除ダイヤログが録画リスト上に表示される。
【０１１１】
図１２は、本実施形態の録画リストの一例を示す図である。図１２において、参照符号Ｇは、録画リストを示している。
【０１１２】
図１２に示すように、録画リストは、種別毎に並び替えられて表示されていてもよい。  
リモコン３０２等を介したユーザ操作によって録画リストＧ３は、図１２に示すように表示装置１５０上に表示される。録画リストＧ３は、記憶媒体、例えば、ＨＤＤ１（記憶部１２９）等の空き容量表示Ｉ６０１と、録画番組の表示画像Ｂ４と、拡張映像（信号）のみを削除するためのボタンＢ５と、他の録画番組の画面へ遷移するためのボタンＢ６と、削除オプション等とを含んでいる。
【０１１３】
録画番組の表示画像Ｂ４は、ユーザ操作によって選択決定されるとＣＰＵ１３１によって録画番組が再生される。この録画番組の表示画像Ｂ４は、拡張映像（信号）のみを削除するためのボタンＢ５を備えている。ユーザ操作によってボタンＢ５が選択されると、削除管理部１３７は、選択した録画番組の４Ｋ拡張映像のみを削除する。ユーザ操作によってボタンＢ５にカーソルが合わせられたときに、録画番組のデータサイズを示すポップアップＰ５が表示されてもよい。ポップアップＰ５は、容量管理部１３５によって作成される。例えば、ポップアップＰ５は、４Ｋ拡張映像データサイズや、削除後の記憶媒体、例えば、記憶部１２９及び／又は外付け記憶部３０６の空き容量等を含んでもよい。ユーザはポップアップＰ５を確認することによって、拡張映像を削除すべきかどうかを判断することができる。
【０１１４】
図１３は、本実施形態のリモコン３０２の一例を示す図である。  
図１３に示すように、本実施形態のリモコン３０２は、拡張映像のみを削除するための専用のボタンＢ７、例えば、“４Ｋデータ削除”ボタンＢ７を備えていてもよい。録画リスト上で番組が選択された場合に、ユーザがリモコン３０２のＢ７を押下することによって、選択された録画番組の拡張映像がすぐに削除される。
【０１１５】
本実施形態によれば、受信機５は、システムコントローラ１１４に削除管理部１３７とを備える。削除管理部１３７は、受信機５の削除動作を管理し、削除ダイヤログ等を作成する。その結果、本実施形態の受信機５は、記憶媒体（ストレージ）の空き容量に応じて基準映像信号及び拡張映像信号をユーザ操作によって選択的に削除する。すなわち、ユーザは、記憶媒体の空き容量に応じて基準映像信号及び拡張映像を削除するかどうかを選択することができる。また、ユーザは、コンテンツ（番組）のジャンル毎に基準映像信号に対応する拡張映像信号を削除するかどうかを選択することができる。その結果、本実施形態の受信機５は、記憶媒体を効率的に利用することができる。
【０１１６】
前述の実施形態によれば、受信機５は、システムコントローラ１１４に容量管理部１３５と録画管理部１３６とを備える。容量管理部１３５は、各種データのサイズや記憶媒体の容量を管理する。録画管理部１３６は、受信機５の録画動作を管理し、管理リスト、録画リストおよび録画ダイヤログ等を作成する。その結果、本実施形態の受信機５は、記憶媒体（ストレージ）の空き容量に応じて基準映像信号及び拡張映像信号をユーザ操作によって選択的に保存する。すなわち、ユーザは、記憶媒体の空き容量に応じて基準映像信号及び拡張映像を保存するかどうかを選択することができる。また、ユーザは、コンテンツ（番組）のジャンル毎に基準映像信号に対応する拡張映像信号を保存するかどうかを選択することができる。その結果、本実施形態の受信機５は、記憶媒体の容量に応じて効率的に録画することができる。
【０１１７】
前述の実施形態において、受信機５の録画及び削除処理はその都度、ユーザによって選択するように記載したが、予約録画等、受信機５が自動で実行する際にも適用できる。その際には、システムコントローラ１１４（ＣＰＵ１３１）がユーザが予め設定した内容に従って録画及び削除を前述の方法で実行する。
【０１１８】
前述の実施形態において、受信機５の録画及び削除処理は、同時に複数の番組に実行することもできる。
【０１１９】
前述の実施形態において、基準映像信号および拡張映像信号は、それぞれ、異なる放送波を伝送する伝送路で伝送されるとしたが、伝送路としてインターネットで伝送されてもよい。例えば、図１４に示されるように、送受信システム１は、送信機（送信装置）３と、受信機（受信装置）５と、サーバ７と、で構成されている。送受信システム１において、送信機３、受信機５、及びサーバ７は、それぞれ有線及び／又は無線の放送及び通信の伝送路で接続されている。送受信システム１では、送信機３は、例えば、放送波を媒体として番組コンテンツを配信する。サーバ７は、インターネット回線を介して番組コンテンツを配信する。送受信システム１は、伝送路８０１、８０２および８０３を備えている。送受信システム１において、送信機３は、伝送路８０１と、サーバ７を経由して伝送路８０２及び伝送路８０３を介して伝送する伝送路とによって基準映像信号及び拡張映像信号を伝送することができる。
【０１２０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【０１２１】
１…送受信システム、３…送信機（送信装置）、５…受信機（受信装置）、７…サーバ、６０，８０…入力端子、９０…出力端子、６２…第１の多重化分離部、８２…第２の多重化分離部、１０４…アンテナ部、１０５…外部入力端子、１０６、１０７…外部出力端子、１１１…入力部、１１３…信号処理部、１１４…システムコントローラ（システム制御部）、１１５…ＯＳＤ信号生成部、１１６…グラフィック処理部、１１７…映像処理部、１１８…音声処理部、１１９…音声出力部、１２０…受信部、１２１…通信インターフェース、１２２…ネットワーク制御部、１２３…ＵＳＢインターフェース、１２４…ＨＤＭＩ、１２５…操作部、１２９…記憶部、１３１…ＣＰＵ１３１…ＲＯＭ、１３３…ＲＡＭ、１３４…ＮＶＭ、１３５…容量管理部、１３６…録画管理部、１３７…削除管理部、１５０…表示装置、２１１…復調部、２２１…情報取得部、８０１…第１の伝送路、８０２…第２の伝送路、８０３…第３の伝送路。
【図１】
2016127324.tif 000003
【図２】
2016127324.tif 000004
【図３】
2016127324.tif 000005
【図４】
2016127324.tif 000006
【図５】
2016127324.tif 000007
【図６Ａ】
2016127324.tif 000008
【図６Ｂ】
2016127324.tif 000009
【図６Ｃ】
2016127324.tif 000010
【図７】
2016127324.tif 000011
【図８】
2016127324.tif 000012
【図９】
2016127324.tif 000013
【図１０Ａ】
2016127324.tif 000014
【図１０Ｂ】
2016127324.tif 000015
【図１０Ｃ】
2016127324.tif 000016
【図１１】
2016127324.tif 000017
【図１２】
2016127324.tif 000018
【図１３】
2016127324.tif 000019
【図１４】
2016127324.tif 000020